(57)【特許請求の範囲】
【請求項１】
単一の電力系統から電力の供給を受ける電子レンジと空調機とを有するシステムにおいて、
電子レンジのドアの開閉動作を検出して電力需要が発生することを検出してデマンド信号を出力するデマンド検出手段と、
このデマンド信号を受けて、前記システムの最大需要電力を上回る電力需要の発生が予測された場合、空調機に消費電力の低減指示を出力する電力低減指示手段と、
前記空調機にて、この電力低減指示を受けて、前記システムの最大需要電力を下回るように機器の能力を低減制御する電力制御手段とを備えたことを特徴とするデマンド制御による電気機器システム。
【請求項２】
単一の電力系統から電力の供給を受ける電子レンジと空調機とを有するシステムにおいて、
電子レンジの庫内に被検出物が置かれたことを検出する被加熱物検出手段と、この被加熱物検出手段が被検出物を検出したときに電力需要が発生することを検出してデマンド信号を出力するデマンド検出手段と、
このデマンド信号を受けて、前記システムの最大需要電力を上回る電力需要の発生が予測された場合、空調機に消費電力の低減指示を出力する電力低減指示手段と、
前記空調機にて、この電力低減指示を受けて、前記システムの最大需要電力を下回るように機器の能力を低減制御する電力制御手段とを備えたことを特徴とするデマンド制御による電気機器システム。
【発明の詳細な説明】
【０００１】
【発明の属する技術分野】
本発明は、優先度の高い電気機器を使用中、優先度の低い電気機器の消費電力を低減して、システム全体の電力需要を一定値以下に抑制するデマンド制御による電気機器システムに関する。
【０００２】
【従来の技術】
従来、電力会社との電気供給契約には、その供給電力、使用形態によっていくつかの算定方法がある。従量電灯は、電灯需要の大部分を占め、使用電力量に応じて料金を算出する。低圧電力は、主に動力機器用に供給され、各電力会社の算定条件に従って契約電力を算出する。
【０００３】
一般に小規模店舗（例えばコンビニエンスストアなど）では、図９の受電系統図に示すように、空調機は低圧電力（動力用三相２００Ｖ）を使用し、電子レンジは従量電灯（単相２００Ｖ）を使用している。
【０００４】
【発明が解決しようとする課題】
しかしながら、上記のように低圧電力と従量電灯とを組み合わせて使用している場合に、デマンド制御を行ったとしても、低圧電力と従量電灯とは別契約であるため、電力料金が安くなるなどの利用者のメリットがない。また、低圧電力と従量電灯とは別系統の回路であるため、有効なデマンド制御ができない。
【０００５】
ここで、動力機器の基本料金は、
単価（１ｋＷあたり）×契約電力
を毎月の基本料金とする。なお、簡略化のため、力率による補正・消費税は省略する。
【０００６】
次に、ある電力会社における契約電力算定のための低圧電力の設備容量計算方法を示す。まず、契約負荷設備をあらかじめ登録設定する。そして、契約負荷設備の各入力電力について、以下の表１に示す係数を乗じて得た値の合計を計算する。
【０００７】
【表１】
0003722959.tif 000002
この表１に基づき算出した電力値に以下の表２に示す係数を乗じて得た値を計算する。
【０００８】
【表２】
0003722959.tif 000003
デマンド制御無しに空調機と電子レンジとを低圧電力で使用すると、基本料金が上がる。例えば、ある電力会社の場合、
従量電灯では、１ｋＶＡあたり２６０円
低圧電力では、１ｋＷあたり１０２０円
なので、入力電力３ｋＷの電子レンジの場合、（１０２０−２６０）×３＝２２８０円／月、基本料金が上昇する。
【０００９】
ここで、空調機と電子レンジとは、以下の表３に示す特徴を持っている。
【００１０】
【表３】
0003722959.tif 000004
空調機は、優先順位が低く、長時間に亘って平準な電力を使用する。電子レンジは、優先順位が高く、短時間に大きなピーク電力を消費する。
【００１１】
本発明は、単一の電力系統から電力の供給を受ける複数の電気機器を有するシステムにおいて、優先度の高い電気機器を使用中、優先度の低い電気機器の消費電力を低減して、システム全体の電力需要を一定値以下に抑制するデマンド制御による電気機器システムを提供することを目的とする。
【００１２】
【課題を解決するための手段】
上述の課題を解決するため、本発明の請求項１に記載のデマンド制御による電気機器システムは、単一の電力系統から電力の供給を受ける電子レンジと空調機とを有するシステムにおいて、電子レンジのドアの開閉動作を検出して電力需要が発生することを検出してデマンド信号を出力するデマンド検出手段と、このデマンド信号を受けて、前記システムの最大需要電力を上回る電力需要の発生が予測された場合、空調機に消費電力の低減指示を出力する電力低減指示手段と、前記空調機にて、この電力低減指示を受けて、前記システムの最大需要電力を下回るように機器の能力を低減制御する電力制御手段とを備えたことを特徴とする構成を有する。
【００１３】
本発明の請求項２に記載のデマンド制御による電気機器システムは、単一の電力系統から電力の供給を受ける電子レンジと空調機とを有するシステムにおいて、電子レンジの庫内に被検出物が置かれたことを検出する被加熱物検出手段と、この被加熱物検出手段が被検出物を検出したときに電力需要が発生することを検出してデマンド信号を出力するデマンド検出手段と、このデマンド信号を受けて、前記システムの最大需要電力を上回る電力需要の発生が予測された場合、空調機に消費電力の低減指示を出力する電力低減指示手段と、前記空調機にて、この電力低減指示を受けて、前記システムの最大需要電力を下回るように機器の能力を低減制御する電力制御手段とを備えたことを特徴とする。
【００１５】
上記の構成によって、本発明の請求項１ないし請求項２に記載のデマンド制御による電気機器システムは、単一の電力系統から電力の供給を受ける優先度の低い電気機器が空調機であるので、デマンド制御による能力の低減が容易である。また、優先度の高い電気機器が電子レンジであって、ドアの開閉動作を検出して電力需要の発生を検出し、または庫内に被検出物が置かれたことを検出して電力需要の発生を検出するので、システム全体の最大需要電力を抑制することができ、かつ調理開始に先だって、または再加熱などを適切に検出してデマンド制御を行うことができる。
【００２９】
【発明の実施の形態】
以下、図面を参照して本発明の実施の形態を詳細に説明する。
【００３０】
図１は、本発明の第１の実施の形態のデマンド制御による電気機器システムの構成図であり、図２は本システムを適用した小規模店舗の受電系統図である。空調機（優先度の低い電気機器）１と電子レンジ（優先度の高い電気機器）２とが、低圧電力の系統（単一の電力系統）から電力供給を受けている。なお、空調機と電子レンジとは、それぞれ１台でも複数台でも良く、複数台の場合は、各単体ユニットの最大入力電力の合計を、空調機（群）および電子レンジ（群）の最大入力電力とする。
【００３１】
電子レンジ２では、ドア開閉検知部２ｃにてドアの開閉動作を検出すると共に、被加熱物検知部２ｄにて庫内に被加熱物が置かれたことを検出し、デマンド信号送受信部２ａにてこれらの検出信号を受けて、調理開始による電力需要の発生に応じるため、デマンド信号として、デマンド制御要求を出力する。これによって、ドア開閉検知部２ｃと被加熱物検知部２ｄとデマンド信号送受信部２ａとは、デマンド検出手段として機能する。なお、ドア開閉検知と被加熱物検知とは、どちらか一方でも良い。
【００３２】
デマンドコントローラ３では、電力設定部３ｄにて、空調機１の最大入力電力の合計、または電子レンジ２の最大入力電力の合計のうち、いずれか大きい方をシステムの最大需要電力として設定する。そしてデマンド信号送受信部３ｂにて上記のデマンド制御要求を受け、電力計算部３ｃにて設定されたシステムの最大需要電力を上回る電力需要の発生を予測して、空調機１の電力値を計算して電力値指令を出力し、デマンド信号送受信部３ａから空調機１に電力低減指示である電力値指令を出力する。これによって、デマンド信号送受信部３ｂと電力計算部３ｃとデマンド信号送受信部３ａとは、電力低減指示手段として機能する。
【００３３】
空調機１では、デマンド信号送受信部１ａにて電力値指令を受けて、能力計算部１ｂにて、この電力値指令に応じた能力値を計算して、能力制御部１ｃに送り、圧縮機および送風機（図示せず）を能力制御して、消費電力を低減する。そして能力制御部１ｃにて、消費電力低減のための能力制御が完了したことを検出して、デマンド信号送受信部１ａから能力制御中（低減完了）信号を出力する。これによって、デマンド信号送受信部１ａと能力計算部１ｂと能力制御部１ｃとは、電力制御手段および完了検出手段として機能する。
【００３４】
デマンドコントローラ３では、デマンド信号送受信部３ａにて能力制御中信号を受けて、デマンド信号送受信部３ｂから動作許可信号を出力する。
【００３５】
電子レンジ２では、デマンド信号送受信部２ａにて、動作許可信号を受けて加熱制御部２ｂに送り、動作可能状態とし、使用者からの加熱指示により加熱回路（図示せず）を制御して加熱を開始する。そして加熱制御部２ｂにて、加熱終了を検出して、デマンド信号送受信部２ａからデマンド信号の解除指示を出力する。
【００３６】
これによって、デマンドコントローラ３のデマンド信号送受信部３ａおよびデマンド信号送受信部３ｂと、電子レンジ２のデマンド信号送受信部２ａおよび加熱制御部２ｂとは、運転開始手段、終了検出手段、解除指示手段として機能する。
【００３７】
デマンドコントローラ３では、デマンド信号送受信部３ａにてデマンド信号の解除指示を受けて、空調機１の能力を段階的に回復させるべく、電力計算部３ｃにて、段階的に空調機１の電力値を計算して電力値指令を出力し、デマンド信号送受信部３ａから空調機１にこの電力値指令を出力する。
【００３８】
空調機１では、デマンド信号送受信部１ａにて電力値指令を受けて、能力計算部１ｂにて、この電力値指令に応じた能力値を計算して、能力制御部１ｃに送り、圧縮機および送風機を制御して、段階的にその能力を回復する。
【００３９】
これによって、デマンドコントローラ３のデマンド信号送受信部３ａ、電力計算部３ｃ、デマンド信号送受信部３ｂと、空調機１のデマンド信号送受信部１ａ、能力計算部１ｂ、能力制御部１ｃとは、電力回復手段として機能する。
【００４０】
図３は、本発明の第２の実施の形態のデマンド制御による電気機器システムの構成図である。本実施の形態では、独立したデマンドコントローラを設けず、空調機４と電子レンジ５とにデマンドコントローラの機能を行う回路を組み込む。電子レンジ５では、ドア開閉検知部５ｃにてドアの開閉動作を検出すると共に、被加熱物検知部５ｄにて庫内に被加熱物が置かれたことを検出し、デマンド信号送受信部５ａにてこれらの検出信号を受けて、調理開始による電力需要の発生に応じるため、デマンド信号として、デマンド制御要求を出力する。
【００４１】
空調機４では、電力設定部４ｄにて、空調機４の最大入力電力の合計、または電子レンジ５の最大入力電力の合計のうち、いずれか大きい方をシステムの最大需要電力として設定する。そしてデマンド信号送受信部４ａにて上記のデマンド制御要求を受け、設定されたシステムの最大需要電力を上回る電力需要の発生を予測して、能力計算部４ｂに送り、電力値に応じた能力値を計算する。その値は能力制御部４ｃに送られ、圧縮機および送風機（図示せず）を能力制御して、消費電力を低減する。そして能力制御部４ｃにて、消費電力低減のための能力制御が完了したことを検出して、能力制御中（低減完了）信号を出力する。デマンド信号送受信部４ａにて能力制御中信号を受けて、動作許可信号を出力する。
【００４２】
電子レンジ５では、デマンド信号送受信部５ａにて、動作許可信号を受けて、加熱制御部５ｂに送り、加熱回路（図示せず）を制御して加熱を開始する。そして加熱制御部５ｂにて、加熱終了を検出して、デマンド信号送受信部５ａからデマンド信号の解除指示を出力する。
【００４３】
空調機４では、デマンド信号送受信部４ａにてデマンド信号の解除指示を受けて、能力計算部４ｂにて能力値を計算して、能力制御部４ｃに送り、圧縮機および送風機を制御して、段階的にその能力を回復する。
【００４４】
次に具体的数値を用いて、本発明を従来例と比較してその効果を示す。まず第１実施例として、優先度の低い単一の機器▲１▼の最大入力電力が、優先度の高い単一の機器▲２▼の最大入力電力よりも大きい場合のデマンド制御について説明する。
【００４５】
優先度の低い単一の機器▲１▼：空調機(7.5kW)
優先度の高い単一の機器▲２▼：電子レンジ(3kW)
とし、他の動力機器は無いものとすると、以下の表４に示す契約電力となる。
【００４６】
【表４】
0003722959.tif 000005
なお、契約電力を求めるに際し、最初の２台は１００％、最初の６ｋＷは１００％、次の１４ｋＷは９０％とし、求めた結果を小数点以下四捨五入する。また、基本料金は、ある電力会社との低圧電力契約の場合である。
【００４７】
この場合の、システムの構成は、図４の（ａ）に示す空調機と電子レンジとにデマンドコントローラの機能を組み込んで直接デマンド制御信号の送受を行う構成か、または（ｂ）に示す空調機と電子レンジとをデマンドコントローラにて制御する構成とする。
【００４８】
本システムでは、空調機の最大入力電力(7.5kW) を、システムの最大入力電力とする。あるいは、図４（ａ）の構成の場合、補正値を加算して、
システムの最大入力電力＝空調機の最大入力電力＋電子レンジの待機電力
または、図４（ｂ）の構成の場合も、補正値を加算して、
システムの最大入力電力＝空調機の最大入力電力＋デマンドコントローラの電力＋電子レンジの待機電力
とすることもできる。
【００４９】
次に本システムの制御手順を図５のタイミングチャートを参照して説明する。まず、調理の開始として、電子レンジ▲２▼の庫内に被加熱物を入れるため、電子レンジ▲２▼のドアが開かれると、これを検出して、電子レンジ▲２▼はデマンド信号を出力する。このデマンド信号を受け取った空調機▲１▼は、直ちに
空調機▲１▼の最大入力電力(7.5kW) −電子レンジ▲２▼の最大入力電力(3kW) ＝４．５ｋＷ以下になるように、その能力を制御する。
【００５０】
電子レンジ▲２▼では加熱開始ボタンが押されたときに、能力制御が完了していれば直ちに、完了していなければ完了するのを待って、加熱を開始する。
【００５１】
加熱が終了して庫内から被加熱物が取り出され、調理が終了したら、デマンド信号を解除する。
【００５２】
デマンド信号が解除されたら空調機の能力を（段階的にまたは徐々に）元の状態に回復する。この段階的回復制御によって、電力変動および空調機の温度制御のハンチングを抑制して、電力や温度変動の少ない平準で快適な制御ができる。
【００５３】
次に第２実施例として、優先度の低い単一の機器▲１▼の最大入力電力が、優先度の高い複数の機器▲２▼▲３▼の最大入力電力よりも大きい場合のデマンド制御について説明する。
【００５４】
優先度の低い単一の機器▲１▼：空調機(7.5kW)
優先度の高い単一の機器▲２▼：電子レンジ(3kW)
優先度の高い単一の機器▲３▼：電子レンジ(3kW)
とし、他の動力機器は無いものとすると、以下の表５に示す契約電力となる。
【００５５】
【表５】
0003722959.tif 000006
なお、契約電力を求めるに際し、最初の２台は１００％、次の２台は９５％、最初の６ｋＷは１００％、次の１４ｋＷは９０％とし、求めた結果を小数点以下四捨五入する。また、基本料金は、ある電力会社との低圧電力契約の場合である。
【００５６】
この場合の、システムの構成は、図６に示す空調機と二つの電子レンジとをデマンドコントローラにて制御する構成とする。
【００５７】
本システムでは、空調機の最大入力電力(7.5kW) を、システムの最大入力電力とする。この場合、補正値を加算して、
空調機の制御電力＝空調機の最大入力電力−デマンドコントローラの電力−電子レンジの待機電力
または、
システムの最大入力電力＝空調機の最大入力電力＋デマンドコントローラの電力＋電子レンジ２台の待機電力
とすることもできる。
【００５８】
次に本システムの制御手順を説明する。まず、調理の開始として、電子レンジ▲２▼の庫内に被加熱物を入れるため、電子レンジ▲２▼のドアが開かれると、これを検出して、電子レンジ▲２▼はデマンド信号を出力する。このデマンド信号を受け取った空調機▲１▼は、直ちに
空調機▲１▼の最大入力電力(7.5kW) −電子レンジ▲２▼の最大入力電力(3kW) ＝４．５ｋＷ以下になるように、その能力を制御する。
【００５９】
電子レンジ▲２▼では加熱開始ボタンが押されたときに、能力制御が完了していれば直ちに、完了していなければ完了するのを待って、加熱を開始する。
【００６０】
その後、電子レンジ▲３▼の庫内に被加熱物を入れるため、電子レンジ▲３▼のドアが開かれると、これを検出して、電子レンジ▲３▼はデマンド信号を出力する。このデマンド信号を受け取った空調機▲１▼は、直ちに
空調機▲１▼の最大入力電力(7.5kW) −電子レンジ▲２▼の最大入力電力(3kW) −電子レンジ▲３▼の最大入力電力(3kW) ＝１．５ｋＷ以下になるように空調機▲１▼は、その能力を制御する。
【００６１】
電子レンジ▲３▼では加熱開始ボタンが押されたときに、能力制御が完了していれば直ちに、完了していなければ完了するのを待って、加熱を開始する。
【００６２】
加熱が終了して庫内から被加熱物が取り出されたら、デマンド信号を解除する。
【００６３】
デマンド信号が解除されたら空調機の能力を（段階的にまたは徐々に）元の状態に回復する。
【００６４】
次に第３実施例として、優先度の低い複数の機器▲１▼▲２▼の最大入力電力が、優先度の高い単一の機器▲３▼の最大入力電力よりも大きい場合のデマンド制御について説明する。
【００６５】
優先度の低い単一の機器▲１▼：空調機(3.75kW)
優先度の低い単一の機器▲２▼：空調機(3.75kW)
優先度の高い単一の機器▲３▼：電子レンジ(3kW)
とし、他の動力機器は無いものとすると、以下の表６に示す契約電力となる。
【００６６】
【表６】
0003722959.tif 000007
なお、契約電力を求めるに際し、最初の２台は１００％、次の２台は９５％、最初の６ｋＷは１００％、次の１４ｋＷは９０％とし、求めた結果を小数点以下四捨五入する。また、基本料金は、ある電力会社との低圧電力契約の場合である。
【００６７】
この場合の、システムの構成は、図７の（ａ）に示す電子レンジと２台の空調機とにデマンドコントローラの機能を組み込んで直接デマンド制御信号の送受を行う構成か、または（ｂ）に示す電子レンジと２台の空調機とをデマンドコントローラにて制御する構成とする。
【００６８】
本システムでは、２台の空調機の最大入力電力の合計(7.5kW) を、システムの最大入力電力とする。この場合、補正値を加算して、
空調機の制御電力の合計＝空調機の最大入力電力の合計−デマンドコントローラの電力−電子レンジの待機電力
または、
システムの最大入力電力＝空調機の最大入力電力の合計＋デマンドコントローラの電力＋電子レンジの待機電力
とすることもできる。
【００６９】
次に本システムの制御手順を説明する。まず、調理の開始として、電子レンジ▲３▼の庫内に被加熱物を入れるため、電子レンジ▲３▼のドアが開かれると、これを検出して、電子レンジ▲３▼はデマンド信号を出力する。このデマンド信号を受け取った空調機▲１▼▲２▼は、直ちに
空調機▲１▼▲２▼の最大入力電力の合計(7.5kW) −電子レンジ▲３▼の最大入力電力(3kW) ＝４．５ｋＷ以下になるように、その能力を制御する。
【００７０】
電子レンジ▲３▼では加熱開始ボタンが押されたときに、能力制御が完了していれば直ちに、完了していなければ完了するのを待って、加熱を開始する。
【００７１】
加熱が終了して庫内から被加熱物が取り出されたら、デマンド信号を解除する。
【００７２】
デマンド信号が解除されたら空調機▲１▼▲２▼の能力を（段階的にまたは徐々に）元の状態に回復する。
【００７３】
次に第４実施例として、優先度の低い複数の機器▲１▼▲２▼の最大入力電力が、優先度の高い複数の機器▲３▼▲４▼の最大入力電力よりも大きい場合のデマンド制御について説明する。
【００７４】
優先度の低い単一の機器▲１▼：空調機(3.75kW)
優先度の低い単一の機器▲２▼：空調機(3.75kW)
優先度の高い単一の機器▲３▼：電子レンジ(3kW)
優先度の高い単一の機器▲４▼：電子レンジ(3kW)
とし、他の動力機器は無いものとすると、以下の表７に示す契約電力となる。
【００７５】
【表７】
0003722959.tif 000008
なお、契約電力を求めるに際し、最初の２台は１００％、次の２台は９５％、最初の６ｋＷは１００％、次の１４ｋＷは９０％とし、求めた結果を小数点以下四捨五入する。また、基本料金は、ある電力会社との低圧電力契約の場合である。
【００７６】
この場合の、システムの構成は、図８の（ａ）に示す２台の電子レンジと２台の空調機とにデマンドコントローラの機能を組み込んで、それぞれ直接デマンド制御信号の送受を行う構成か、または（ｂ）に示す２台の電子レンジと２台の空調機とをデマンドコントローラにて制御する構成とする。
【００７７】
本システムでは、２台の空調機の最大入力電力の合計(7.5kW) を、システムの最大入力電力とする。この場合、補正値を加算して、
空調機の制御電力の合計＝空調機の最大入力電力の合計−デマンドコントローラの電力−電子レンジの待機電力の合計
または、
システムの最大入力電力＝空調機の最大入力電力の合計＋デマンドコントローラの電力＋電子レンジの待機電力の合計
とすることもできる。
【００７８】
次に本システムの制御手順を説明する。まず、調理の開始として、電子レンジ▲３▼の庫内に被加熱物を入れるため、電子レンジ▲３▼のドアが開かれると、これを検出して、電子レンジ▲３▼はデマンド信号を出力する。このデマンド信号を受け取った空調機▲１▼▲２▼は、直ちに
空調機▲１▼▲２▼の最大入力電力の合計(7.5kW) −電子レンジ▲３▼の最大入力電力(3kW) ＝４．５ｋＷ以下になるように、その能力を制御する。
【００７９】
電子レンジ▲３▼では加熱開始ボタンが押されたときに、能力制御が完了していれば直ちに、完了していなければ完了するのを待って、加熱を開始する。
【００８０】
その後、電子レンジ▲４▼の庫内に被加熱物を入れるため、電子レンジ▲４▼のドアが開かれると、これを検出して、電子レンジ▲４▼はデマンド信号を出力する。このデマンド信号を受け取った空調機▲１▼▲２▼は、直ちに
空調機▲１▼▲２▼の最大入力電力の合計(7.5kW) −電子レンジ▲３▼の最大入力電力(3kW) −電子レンジ▲４▼の最大入力電力(3kW) ＝１．５ｋＷ以下になるように、その能力を制御する。
【００８１】
電子レンジ▲４▼では加熱開始ボタンが押されたときに、能力制御が完了していれば直ちに、完了していなければ完了するのを待って、加熱を開始する。
【００８２】
加熱が終了して庫内から被加熱物が取り出されたら、デマンド信号を解除する。
【００８３】
デマンド信号が解除されたら空調機▲１▼▲２▼の能力を（段階的にまたは徐々に）元の状態に回復する。
【００８４】
次に第５実施例として、優先度の低い複数の機器▲１▼▲２▼の最大入力電力が、優先度の高い複数の機器▲３▼▲４▼の最大入力電力よりも小さい場合のデマンド制御について説明する。
【００８５】
優先度の低い単一の機器▲１▼：空調機(3.75kW)
優先度の低い単一の機器▲２▼：空調機(3.75kW)
優先度の高い単一の機器▲３▼：電子レンジ(4kW)
優先度の高い単一の機器▲４▼：電子レンジ(4kW)
とし、他の動力機器は無いものとすると、以下の表８に示す契約電力となる。
【００８６】
【表８】
0003722959.tif 000009
なお、契約電力を求めるに際し、最初の２台は１００％、次の２台は９５％、最初の６ｋＷは１００％、次の１４ｋＷは９０％とし、求めた結果を小数点以下四捨五入する。また、基本料金は、ある電力会社との低圧電力契約の場合である。
【００８７】
本システムでは、２台の空調機の最大入力電力の合計(8kW) を、システムの最大入力電力とする。
【００８８】
次に本システムの制御手順を説明する。まず、調理の開始として、電子レンジ▲３▼の庫内に被加熱物を入れるため、電子レンジ▲３▼のドアが開かれると、これを検出して、電子レンジ▲３▼はデマンド信号を出力する。このデマンド信号を受け取った空調機▲１▼▲２▼は、直ちに
電子レンジ▲３▼▲４▼の最大入力電力の合計(8.0kW) −電子レンジ▲３▼の最大入力電力(4.0kW) ＝４．０ｋＷ以下になるように、その能力を制御する。この場合、１台の空調機の運転を停止しても良い。
【００８９】
電子レンジ▲３▼では加熱開始ボタンが押されたときに、能力制御が完了していれば直ちに、完了していなければ完了するのを待って、加熱を開始する。
【００９０】
その後、電子レンジ▲４▼の庫内に被加熱物を入れるため、電子レンジ▲４▼のドアが開かれると、これを検出して、電子レンジ▲４▼はデマンド信号を出力する。このデマンド信号を受け取った空調機▲１▼▲２▼は、直ちに運転を停止する。
【００９１】
電子レンジ▲４▼では加熱開始ボタンが押されたときに、能力制御が完了していれば直ちに、完了していなければ完了するのを待って、加熱を開始する。
【００９２】
加熱が終了して庫内から被加熱物が取り出されたら、デマンド信号を解除する。
【００９３】
デマンド信号が解除されたら空調機▲１▼▲２▼の能力を（段階的にまたは徐々に）元の状態に回復する。
【００９４】
また、他の実施の形態では、電子レンジの使用ピーク時間帯の前に、空調機が準備運転を行う。例えば、昼食時間帯などのあらかじめ予測可能な電子レンジの使用ピーク時間帯の（一定期間）前に、冷房時には設定温度よりもやや低い温度に制御し、暖房時には設定温度よりもやや高い温度に制御する、スケジュール運転を行う。
【００９５】
さらに他の実施の形態では、空調機に蓄熱源または蓄冷源を備え、デマンド制御によって消費電力を抑制中に、抑制した消費電力量に相当する熱量を、蓄熱源または蓄冷源から補う。このことによって、デマンド制御中の温度変動を抑制し、快適性を維持する。
【００９６】
さらに他の実施の形態では、待機時の電力を供給するバックアップ電源を備える。例えば、電池やバッテリーなどからの電力にて待機時の電力を供給することによって、システム全体の最大需要電力を抑制することができる。
【００９７】
【発明の効果】
以上説明した通り、本発明の請求項１ないし請求項２に記載のデマンド制御による電気機器システムは、単一の電力系統から電力の供給を受ける優先度の低い電気機器が空調機であるので、デマンド制御による能力の低減が容易であり、その能力低減による影響が少ない。また、優先度の高い電気機器が電子レンジであって、ドアの開閉動作を検出して電力需要の発生を検出し、または庫内に被検出物が置かれたことを検出して電力需要の発生を検出するので、短時間に大きな電力ピークを発生する電子レンジを使用しても、システム全体の最大需要電力を抑制することができ、かつ調理開始に先だって、または再加熱などを適切に検出してデマンド制御を行うことができる。このようなことから、利用者にとっては、契約電力が低く抑えられ、電気基本料金が安くなる。
【図面の簡単な説明】
【図１】本発明の第１の実施の形態のデマンド制御による電気機器システムの構成図である。
【図２】本発明のデマンド制御による電気機器システムを適用した小規模店舗の受電系統図である。
【図３】本発明の第２の実施の形態のデマンド制御による電気機器システムの構成図である。
【図４】第１の実施例のシステム構成図であって、（ａ）は空調機と電子レンジとで直接デマンド制御信号の送受を行う構成、（ｂ）空調機と電子レンジとをデマンドコントローラにて制御する構成を示す。
【図５】第１の実施例のタイミングチャートである。
【図６】第２の実施例のシステム構成図である。
【図７】第３の実施例のシステム構成図であって、（ａ）は空調機と電子レンジとで直接デマンド制御信号の送受を行う構成、（ｂ）空調機と電子レンジとをデマンドコントローラにて制御する構成を示す。
【図８】第４の実施例のシステム構成図であって、（ａ）は空調機と電子レンジとで直接デマンド制御信号の送受を行う構成、（ｂ）空調機と電子レンジとをデマンドコントローラにて制御する構成を示す。
【図９】従来の小規模店舗の受電系統図である。
【符号の説明】
１  空調機（優先度の低い電気機器）
２  電子レンジ（優先度の高い電気機器）
３  デマンドコントローラ
【図１】
0003722959.tif 000010
【図２】
0003722959.tif 000011
【図３】
0003722959.tif 000012
【図４】
0003722959.tif 000013
【図５】
0003722959.tif 000014
【図６】
0003722959.tif 000015
【図７】
0003722959.tif 000016
【図８】
0003722959.tif 000017
【図９】
0003722959.tif 000018